(57)【要約】【課題】レンズ保持枠のガタツキや倒れを抑えたレンズ鏡筒を提供すること。【解決手段】少なくとも一組の隣接するレンズ保持枠の一方のレンズ保持枠１２に備えられ、光軸Ｘと平行に配置され、他方のレンズ保持枠１１の光軸Ｘ方向への移動をガイドする第１ガイド軸３２および第２ガイド軸３４と、レンズ保持枠１２に形成され、第１ガイド軸３２が挿通されこの第１ガイド軸３２によるガイドを受ける第１ガイド受け孔３３と、第２ガイド軸３４が挿通されこの第２ガイド軸３４によるガイドを受ける第２ガイド受け孔３５と、レンズ保持枠１１とレンズ保持枠１２とを光軸Ｘ方向に沿って互いに離間させる方向に付勢するコイルバネ５６と、レンズ保持枠１１に対して、第１ガイド軸３２の周方向に回転させる付勢力を作用させる捻じりバネ５７とを有し、第１ガイド受け孔３３は、光軸Ｘ方向に離れた２箇所で第１ガイド軸３２によるガイドを受けることとする。【選択図】図３
2014089266.tif 000002
【特許請求の範囲】
【請求項１】
カムフォロアを有する複数のレンズ保持枠と、
前記カムフォロアに係合するカム溝が形成されるカム筒と、
前記カムフォロアに係合する直進案内溝が形成される直進ガイド筒と、
を有し、
前記カム筒を回転することで、前記複数のレンズ保持枠を移動することができるレンズ鏡筒において、
前記複数のレンズ保持枠のうち、少なくとも一組の隣接するレンズ保持枠の一方のレンズ保持枠に備えられ、前記レンズ鏡筒の光軸と平行に配置され、前記他方のレンズ保持枠の前記光軸方向への移動をガイドする第１ガイド軸および第２ガイド軸と、
前記他方のレンズ保持枠に形成され、前記第１ガイド軸が挿通されこの第１ガイド軸によるガイドを受ける第１ガイド受け孔と、前記第２ガイド軸が挿通されこの第２ガイド軸によるガイドを受ける第２ガイド受け孔と、
前記一方のレンズ保持枠と前記他方のレンズ保持枠とを前記光軸方向に沿って互いに離間させる方向または近接させる方向に付勢する第１付勢手段と、
前記他方のレンズ保持枠に対して、前記第１ガイド軸の周方向に回転させる付勢力を作用させることができる第２付勢手段と、
を有し、
前記第１ガイド受け孔は、光軸方向に離れた２箇所で前記第１ガイド軸によるガイドを受ける、
ことを特徴とするレンズ鏡筒。
【請求項２】
請求項１に記載のレンズ鏡筒において、
前記第２ガイド受け孔は、前記第２ガイド軸の全周に亘って遊挿される大きさである、
ことを特徴とするレンズ鏡筒。
【請求項３】
請求項２に記載のレンズ鏡筒において、
前記第２付勢手段は、前記第２ガイド軸に反力を採って前記一方のレンズ保持枠を付勢
する、
ことを特徴とするレンズ鏡筒。
【請求項４】
請求項１から３のいずれか１項に記載のレンズ鏡筒において、
前記他方のレンズ保持枠に備えられる前記カムフォロアは、前記直進案内溝に係合していない、
ことを特徴とするレンズ鏡筒。
【請求項５】
請求項１から４のいずれか１項に記載のレンズ鏡筒において、
前記第１付勢手段は、前記第２ガイド軸に挿通されるコイルバネである、
ことを特徴とするレンズ鏡筒。
【請求項６】
請求項１から５のいずれか１項に記載のレンズ鏡筒において、
前記第１ガイド軸と前記他方のレンズ保持枠のカムフォロアとは、前記光軸の周方向において同一方向に配置されている、
ことを特徴とするレンズ鏡筒。
【請求項７】
請求項１から６のいずれか１項に記載のレンズ鏡筒において、
前記一方のレンズ保持枠には前記他方のレンズ保持枠が、前記光軸方向に前記一方のレンズ保持枠から離間する方向への移動を規制する係合部が設けられている、
ことを特徴とするレンズ鏡筒。
【発明の詳細な説明】
【技術分野】
【０００１】
本発明は、レンズ鏡筒に関する。
【背景技術】
【０００２】
従来、レンズ鏡筒において、フォーカシングやズーミング等に当たりレンズを移動させる構成を有するものが知られている。レンズを移動させる構成としては、移動対象のレンズを保持するレンズ保持枠をカム溝が形成されるカム筒および直進案内溝が形成される直進筒の内側に収容し、これらのカム溝および直進案内溝に係合するカムフォロアをレンズ保持枠に設け、カム筒を回転させることで、レンズを光軸方向に移動させる構成が、たとえば、特許文献１に開示されている。
【先行技術文献】
【特許文献】
【０００３】
【特許文献１】特開２０１２−１４５８２７号公報
【発明の概要】
【発明が解決しようとする課題】
【０００４】
しかしながら、カム溝とカムフォロアとの係合構造の場合、カムフォロアがカム溝に対して円滑に摺動しなくてはならないため、カムフォロアの直径はカム溝の溝幅に比べてある程度小さくする必要がある。つまり、カムフォロアの周面とカム溝のカム面との間に隙間を形成する必要がある。そのため、両者の差（隙間）に起因して、カムフォロアがカム溝に対してガタツキを生じたり、レンズ保持枠に倒れが生じたり、レンズ保持枠の倒れの程度が変化する等して、レンズ性能が不安定となる虞がある。特に、ズームレンズにおいて、感度の高いレンズに対して上述したガタツキの発生、倒れの発生、あるいは倒れの程度が変化するとレンズ性能に大きく影響してしまう。
【０００５】
そこで、本発明は、レンズ保持枠のガタツキや倒れを抑えたレンズ鏡筒を提供することを目的とする。
【課題を解決するための手段】
【０００６】
上記課題を解決するために、本発明のレンズ鏡筒は、カムフォロアを有する複数のレンズ保持枠と、カムフォロアに係合するカム溝が形成されるカム筒と、カムフォロアに係合する直進案内溝が形成される直進ガイド筒とを有し、カム筒を回転することで、複数のレンズ保持枠を移動することができるレンズ鏡筒であって、複数のレンズ保持枠のうち、少なくとも一組の隣接するレンズ保持枠の一方のレンズ保持枠に備えられ、レンズ鏡筒の光軸と平行に配置され、他方のレンズ保持枠の光軸方向への移動をガイドする第１ガイド軸および第２ガイド軸と、他方のレンズ保持枠に形成され、第１ガイド軸が挿通されこの第１ガイド軸によるガイドを受ける第１ガイド受け孔と、第２ガイド軸が挿通されこの第２ガイド軸によるガイドを受ける第２ガイド受け孔と、一方のレンズ保持枠と他方のレンズ保持枠とを光軸方向に沿って互いに離間させる方向または近接させる方向に付勢する第１付勢手段と、他方のレンズ保持枠に対して、第１ガイド軸の周方向に回転させる付勢力を作用させることができる第２付勢手段とを有し、第１ガイド受け孔は、光軸方向に離れた２箇所で第１ガイド軸によるガイドを受けることとする。
【０００７】
また、本発明のレンズ鏡筒においては、第２ガイド受け孔は、第２ガイド軸の全周に亘って遊挿される大きさであることが好ましい。
【０００８】
また、本発明のレンズ鏡筒においては、第２付勢手段は、第２ガイド軸に反力を採って一方のレンズ保持枠を付勢することが好ましい。
【０００９】
また、本発明のレンズ鏡筒においては、他方のレンズ保持枠に備えられるカムフォロアは、直進案内溝に係合していないことが好ましい。
【００１０】
また、本発明のレンズ鏡筒においては、第１付勢手段は、第２ガイド軸に挿通されるコイルバネであることが好ましい。
【００１１】
また、本発明のレンズ鏡筒においては、第１ガイド軸と他方のレンズ保持枠のカムフォロアとは、光軸の周方向において同一方向に配置されていることが好ましい。
【００１２】
また、本発明のレンズ鏡筒においては、一方のレンズ保持枠には他方のレンズ保持枠が、光軸方向に一方のレンズ保持枠から離間する方向への移動を規制する係合部が設けられていることが好ましい。
【発明の効果】
【００１３】
本発明によると、レンズ保持枠のガタツキや倒れを抑えたレンズ鏡筒を提供することができる。
【図面の簡単な説明】
【００１４】
【図１】本発明の実施の形態に係るレンズ鏡筒の光軸を含む面における概略の構成を示す断面図である。
【図２】固定筒、第１カム筒、第２カム筒および第２レンズ保持枠の外観の構成を示す斜視図である。
【図３】第４レンズ保持枠および第５レンズ保持枠の構成示す分解斜視図である。
【図４】第４レンズ保持枠を第５レンズ保持枠に保持させた状態の斜視図である。
【図５】第４レンズ保持枠を第５レンズ保持枠に保持させた状態を前方からみた図である。
【図６】第４レンズ保持枠の前ガイド受部と後ガイド受部を含む部分を拡大した図である。
【発明を実施するための形態】
【００１５】
（レンズ鏡筒１の構成の概略）
図１を参照しながら本発明の実施の形態に係るレンズ鏡筒１の構成の概略について説明する。図１は、レンズ鏡筒１の光軸Ｘを含む面における構成を示す断面図である。なお、以下の説明においては、被写体方向を前方／前側（図中矢印Ｘ１方向）、その反対方向を後方／後側（図中Ｘ２方向）とし、また、光軸Ｘから離間する方向を外周方向／外側、光軸Ｘから離れた位置から光軸Ｘに向かう方向を内周方向／内側として説明する。
【００１６】
図１に示すように、レンズ鏡筒１は、レンズ群として、第１レンズ群２と、第２レンズ群３と、第３レンズ群４と、第４レンズ群５と、第５レンズ群６と、第６レンズ群７との６個のレンズ群を有する。第１レンズ群２は第１レンズ保持枠８に、第２レンズ群３は第２レンズ保持枠９に、第３レンズ群４は第３レンズ保持枠１０に、第４レンズ群５は第４レンズ保持枠１１に、第５レンズ群６は第５レンズ保持枠１２に、第６レンズ群７は第６レンズ保持枠１３にそれぞれ保持されている。
【００１７】
第２レンズ保持枠９には光軸Ｘの周りに１２０度間隔で第２カムフォロア１４が３つ設けられている（図２参照）。また、第３レンズ保持枠１０にも光軸Ｘの周りに１２０度間隔で第３カムフォロア１５が３つ設けられている。そして、第５レンズ保持枠１２についても光軸Ｘの周りに１２０度間隔で第５カムフォロア１６が３つ設けられている。一方、第４レンズ保持枠１１については１つの第４カムフォロア１７が設けられている。
【００１８】
レンズ鏡筒１は、固定枠１８と、固定筒１９と、第１カム筒２０と、第２カム筒２１とを有する。固定筒１９の後端部は、固定枠１８に対して固定されている。固定枠１８は、ビデオカメラ、テレビカメラあるいはスチルカメラ等を構成する筐体に対して取り付け可能となっている。図２は、固定筒１９、第１カム筒２０、第２カム筒２１および第２レンズ保持枠９の外観の構成を示す斜視図である。図２に示されるように、第１カム筒２０は固定筒１９の内周側に配置され、第２カム筒２１は第１カム筒２０の内周側に配置され、第２レンズ保持枠９は第２カム筒２１の内周側に配置されている。
【００１９】
固定筒１９には、光軸Ｘと平行に前後方向に伸びる第１直進案内溝２２および第２直進案内溝２３が形成されている。第１直進案内溝２２は、光軸Ｘの周りに１２０度間隔で３箇所に配置されている。第２直進案内溝２３も同様に光軸Ｘの周りに１２０度間隔で３箇所に配置されている。本実施の形態では、第１直進案内溝２２と第２直進案内溝２３とは互いに前後方向に重なる位置に配置されている。
【００２０】
第１カム筒２０には、前方から順に、第１カム溝２４と、第２カム溝２５と、第３カム溝２６と、第４カム溝２７とが形成されている。各カム溝は、それぞれ光軸Ｘの周りに１２０度間隔で３箇所に形成されている。また、第１カム筒には、光軸Ｘと平行に前後方向に伸びる第３直進案内溝２８が形成されている。第３直進案内溝２８は、光軸Ｘの周りに１２０度間隔で３箇所に配置されている。
【００２１】
第２カム筒２１には、第５カム溝２９が、光軸Ｘの周りに１２０度間隔で３箇所に形成されている。また、第２カム筒２１には、光軸Ｘの周りに１２０度間隔で第６カムフォロア３０が３つ設けられている。
【００２２】
第１レンズ保持枠８は、固定筒１９の先端部に外周方向に突出するフランジ部８Ａに対して取り付けられねじ３１により固定されている。
【００２３】
第２レンズ保持枠９の第２カムフォロア１４は、第５カム溝２９および第３直進案内溝２８に係合可能に、第５カム溝２９内および第３直進案内溝２８内に挿入される。第２カム筒２１の第６カムフォロア３０は、第１カム溝２４および第１直進案内溝２２に係合可能に、第１カム溝２４内および第１直進案内溝２２に挿入される。第３レンズ保持枠１０の第３カムフォロア１５は、第２カム溝２５および第２直進案内溝２３に係合可能に、第２カム溝２５内および第２直進案内溝２３内に挿入される。第４レンズ保持枠１１の第４カムフォロア１７は、第３カム溝２６に係合可能に、第３カム溝２６内に挿入される。
【００２４】
なお、第４カムフォロア１７は、１つだけ設けられているため、３箇所に形成される第３カム溝２６のうち１つの第３カム溝２６内のみに挿入される。また、第４レンズ保持枠１１には、次に説明する第１ガイド軸３２が挿通される第１ガイド受け孔３３および第２ガイド軸３４が挿通される第２ガイド受け孔３５が設けられている（図３参照）。第５レンズ保持枠１２の第５カムフォロア１６は、第４カム溝２７および第２直進案内溝２３に係合可能に、第４カム溝２７内および第２直進案内溝２３内に挿入される。そして、第５レンズ保持枠１２には、前方に伸びる第１ガイド軸３２および第２ガイド軸３４が設けられ、第１ガイド軸３２は、第４レンズ保持枠１１に設けられる第１ガイド受け孔３３に通され、また第２ガイド軸３４は、同じく第４レンズ保持枠１１に設けられる第２ガイド受け孔３５に通されている。
【００２５】
第６レンズ保持枠１３は、図示外のガイド軸を介して固定ホルダーに支持されている。そして、図示外のモーターにより、ガイド軸のガイドを受けて光軸Ｘ方向に前後に移動することができる。第６レンズ群７の後方には、ＣＣＤ等により構成することができる撮像素子３６が配置される。
【００２６】
（レンズ鏡筒１の動作の概略）
上記の構成を有するレンズ鏡筒１の動作の概略を説明する。本実施の形態におけるレンズ鏡筒１においては、第１レンズ群２は固定であり、第２レンズ群３から第５レンズ群６の移動により変倍動作が実現され、第６レンズ群７の移動により焦点調節動作が実現される。
【００２７】
第１カム筒２０の後部の周囲にはギア部３７が設けられている。また、固定筒１９の後部には、第１カム筒２０のギア部３７に対応して周方向に長いスリット溝３８が形成されている。そして、第１カム筒２０のギア部３７にスリット溝３８を通して図示を省略する歯車が噛合っている。この歯車は、図示を省略する駆動モーターにより回転され、この回転を受けて第１カム筒２０が回転させられる。第１カム筒２０を回転させることで、第２レンズ保持枠９、第３レンズ保持枠１０、第４レンズ保持枠１１および第５レンズ保持枠１２が前後方向に移動され変倍動作が実現される。また、撮像素子３６の撮像面における結像の合焦状態に応じてＡＦ用モーターを駆動し、第６レンズ保持枠１３を前後に移動させることで、合焦動作が実現される。
【００２８】
第４カム溝２７および第２直進案内溝２３に係合する第５カムフォロア１６を有する第５レンズ保持枠１２は、第１カム筒２０が回転させられると、第２直進案内溝２３により光軸Ｘ周りへの回転を規制（直進案内）されながら第４カム溝２７に従って前後に移動する。第２カム溝２５および第２直進案内溝２３に係合する第３カムフォロア１５を有する第３レンズ保持枠１０は、第１カム筒２０が回転させられると、第２直進案内溝２３により光軸Ｘ周りへの回転を規制（直進案内）されながら第２カム溝２５に従って前後に移動する。第１カム溝２４および第１直進案内溝２２に係合する第６カムフォロア３０を有する第２カム筒２１は、第１カム筒２０が回転させられると、第１直進案内溝２２により光軸Ｘ周りへの回転を規制（直進案内）されながら第１カム溝２４に従って前後に移動する。なお、固定筒１９は、第５レンズ保持枠１２、第３レンズ保持枠１０および第２カム筒２１を直進案内する直進ガイド筒として機能している。
【００２９】
第３カム溝２６に第４カムフォロア１７が係合し、第１ガイド受け孔３３に第１ガイド軸３２が挿通され、また、第２ガイド受け孔３５に第２ガイド軸３４が挿通される第４レンズ保持枠１１は、第１カム筒２０が回転させられると、第１ガイド軸３２および第２ガイド軸３４により光軸Ｘ周りへの回転を規制（直進案内）されながら第３カム溝２６に従って前後に移動する。
【００３０】
第２カム筒２１の第５カム溝２９および第１カム筒２０の第３直進案内溝２８に係合する第２カムフォロア１４を有する第２レンズ保持枠９は、第１カム筒２０が回転させられると、第１カム筒２０の回転と共に光軸Ｘ周りに回転すると共に、第５カム溝２９に従って前後に移動する。第２レンズ保持枠９の前後への移動は、第２カム筒２１の前後への移動と第５カム溝２９による前後への移動の合成の移動となる。
【００３１】
（第４レンズ保持枠１１の第５レンズ保持枠１２への保持構造）
ここで、第４レンズ保持枠１１の第５レンズ保持枠１２への保持構造について、図３〜図５を参照して説明する。図３は、第４レンズ保持枠１１および第５レンズ保持枠１２の構成を示す分解斜視図である。図４は、第４レンズ保持枠１１を第５レンズ保持枠１２に保持させた状態の斜視図である。図５は、第４レンズ保持枠１１を第５レンズ保持枠１２に保持させた状態を前方からみた図である。
【００３２】
（第５レンズ保持枠１２の構成）
第５レンズ保持枠１２は、光軸Ｘに平行に中心軸が配置される円筒部３９と、この円筒部３９の内周側に配置され、光軸Ｘに直交する面を有するフランジ部４０とを有する。フランジ部４０には第５レンズ群６を保持するレンズ保持部４１が設けられている。
【００３３】
フランジ部４０には、前方、すなわち、第４レンズ保持枠１１が配置される側に向かって、光軸Ｘと平行に、第１ガイド軸３２および第２ガイド軸３４が取り付けられている。第１ガイド軸３２と第２ガイド軸３４とは光軸Ｘを挟んで配置されている。すなわち、第１ガイド軸３２と第２ガイド軸３４とは、光軸Ｘを中心に１８０度の間隔で配置されている。第１ガイド軸３２および第２ガイド軸３４は、たとえば、ステンレス鋼等の金属にて形成される。第１ガイド軸３２および第２ガイド軸３４の周面には、摺動摩擦を低減させるためのメッキ処理やテフロン（登録商標）のコーティング等が施されることが好ましい。
【００３４】
第１ガイド軸３２は、フランジ部４０の後面に設けられるスリーブ４２に圧入されることで、フランジ部４０に対して固定状態で取り付けられる（図１参照）。第２ガイド軸３４も同様に、フランジ部４０の後面に設けられるスリーブ４３に圧入されることで、フランジ部４０に対して固定状態で取り付けられる（図１参照）。円筒部３９とフランジ部４０とスリーブ４２，４３とは成形加工にて一体構造に形成されている。
【００３５】
円筒部３９の外側の面には、第５カムフォロア１６が取り付けられている。第５カムフォロア１６は、駒部４４と、駒部４４を円筒部３９に対して回転可能に支持する支持部４５と、駒部４４および支持部４５を円筒部３９に取り付けるビス４６とにより構成されている。第５カムフォロア１６は、光軸Ｘの周りに１２０度間隔で３箇所に設けられている。駒部４４が支持部４５の中心軸の周りに回転することで、第４カム溝２７および第２直進案内溝２３に対して第５カムフォロア１６はスムーズに移動することができる。
【００３６】
（第４レンズ保持枠１１の構成）
第４レンズ保持枠１１は、光軸Ｘに平行に中心軸が配置される円筒部４７と、この円筒部４７の外方に向かって設けられる３つの腕部４８Ａ，４８Ｂ，４８Ｃと、腕部４８Ｂと腕部４８Ｃとの間に設けられ、光軸Ｘに直交する面を有するフランジ部４９とを有する。円筒部４７の内周部は、第４レンズ群５を保持するレンズ保持部５０として形成されている。
【００３７】
腕部４８Ａの先端には、第４カムフォロア１７が取り付けられている。第４カムフォロア１７は、駒部５１と、駒部５１を腕部４８Ａの先端に対して回転可能に支持する支持部５２と、駒部５１および支持部５２を腕部４８Ａに取り付けるビス５３とにより構成されている。駒部５１が支持部５２の中心軸の周りに回転することで、第３カム溝２６に対して第４カムフォロア１７はスムーズに移動することができる。
【００３８】
第４カムフォロア１７は、腕部４８Ａにのみ設けられ、他の腕部４８Ｂ，４８Ｃには設けられていない。したがって、第４レンズ保持枠１１は、第１カム筒２０に形成された３つの第３カム溝２６のうち１つのカム溝に対してのみ第４カムフォロア１７が係合される。つまり、第４レンズ保持枠１１は、１つの第３カム溝２６とこれに係合する１つの第４カムフォロア１７との作用により前後方向への移動が制御される。
【００３９】
（第１ガイド軸３２および第１ガイド受け孔３３）
腕部４８Ａには、第１ガイド受け孔３３が設けられている。第１ガイド受け孔３３には、第１ガイド軸３２が挿通される。第１ガイド受け孔３３は、図６に示すように、前後方向に配置される前ガイド受部５４と後ガイド受部５５とを有し、第１ガイド軸３２は、前ガイド受部５４と後ガイド受部５５との２箇所に当接する。前ガイド受部５４と後ガイド受部５５との間は、空隙となっていて、第１ガイド軸３２に対して第４レンズ保持枠１１が接触しない構成となっている。前ガイド受部５４および後ガイド受部５５は、第１ガイド軸３２の全周に亘って当接する孔部である。つまり、前ガイド受部５４および後ガイド受部５５に、第１ガイド軸３２がガタ無く挿通される。
【００４０】
（第２ガイド軸３４および第２ガイド受け孔３５）
フランジ部４９には、第２ガイド軸３４が挿通する第２ガイド受け孔３５が形成されている。第２ガイド受け孔３５は、第２ガイド軸３４が遊挿される大きさに形成されている。すなわち、第２ガイド受け孔３５の開口の大きさは、ここに挿通される第２ガイド軸３４の全周に対して隙間を有する大きさに形成されている。
【００４１】
第４レンズ保持枠１１は、第１ガイド受け孔３３に挿通される第１ガイド軸３２と、第２ガイド受け孔３５に挿通される第２ガイド軸３４とにより第５レンズ保持枠１２に対して保持されている。つまり、第４レンズ保持枠１１は、第５レンズ保持枠１２に対して、第１ガイド軸３２および第２ガイド軸３４のガイドを受けて前後方向に移動可能に保持されている。
【００４２】
上述したように、第５カムフォロア１６が第４カム溝２７および第２直進案内溝２３に係合された第５レンズ保持枠１２は、第１カム筒２０が回転されると、第２直進案内溝２３により光軸Ｘ周りへの回転を規制されながら第４カム溝２７に従って前後に移動する。また、第３カム溝２６に第４カムフォロア１７が係合し、第１ガイド受け孔３３に第１ガイド軸３２が挿通され、また、第２ガイド受け孔３５に第２ガイド軸３４が挿通される第４レンズ保持枠１１は、第１カム筒２０が回転させられると、第１ガイド軸３２および第２ガイド軸３４により光軸Ｘ周りへの回転を規制（直進案内）されながら第３カム溝２６に従って前後に移動する。
【００４３】
第４レンズ保持枠１１は、前後の２箇所に配置される前ガイド受部５４と後ガイド受部５５とにより第５レンズ保持枠１２に対して支持されている。つまり、前ガイド受部５４および後ガイド受部５５が第１ガイド軸３２に当接することにより、第４レンズ保持枠１１の前後方向への倒れ（第４レンズ群５の光軸が光軸Ｘに対して交差する方向への傾き）が規制される。
【００４４】
ところで、一般にレンズ保持枠は、３方の（撮影光軸の周りに１２０度間隔で）カムフォロアをカム溝に係合させることで、前後方向への倒れ（傾き）が規制されている。そのため、カムフォロアとカム溝との係合状態が３方で同一とならない場合、たとえば、１方のカムフォロアとカム溝とが係合しない状態で、残りの２方のカムフォロアとカム溝とが係合している状態では、レンズ保持枠に倒れが生じる虞がある。また、３つのカム溝の形成位置に誤差がある場合は、カムフォロアのカム溝との係合位置が移動することで、レンズ保持枠の倒れの程度が変化する虞がある。
【００４５】
これに対し、第４レンズ保持枠１１は、１本の第１ガイド軸３２により前後方向への倒れが規制されている。このため、第４カムフォロア１７と第３カム溝２６との係合の状態、たとえば、第４カムフォロア１７と第３カム溝２６のカム面との間に隙間が生じているか否かに拘わらず、第４レンズ保持枠１１の前後方向への倒れを抑えることができる。
【００４６】
第４レンズ保持枠１１が、１本の第１ガイド軸３２により前後方向への倒れが規制されていることに加えて、カムフォロアとカム溝の係合については、１つの第４カムフォロア１７と１つの第３カム溝２６のみとなっている。つまり、第４レンズ保持枠１１の前後方向への移動は、１つの第３カム溝２６と１つの第４カムフォロア１７とにより制御される。これに対し、仮に３つの第３カム溝２６により第４レンズ保持枠１１の移動を制御することとすると、３つの第３カム溝２６の形成位置の誤差が有る場合にレンズ性能を低下させる虞がある。しかしながら本実施の形態のように、１つの第３カム溝２６と１つの第４カムフォロア１７とのみにより第４レンズ保持枠１１の移動を制御する場合には上述の虞がない。
【００４７】
（コイルバネ５６）
第４レンズ保持枠１１と第５レンズ保持枠１２との間には、第１付勢手段としてのコイルバネ５６が備えられている。コイルバネ５６は、内周部に第２ガイド軸３４が通され、第５レンズ保持枠１２に対して支持されている。また、コイルバネ５６は、第４レンズ保持枠１１と第５レンズ保持枠１２との間隔を広げる方向に付勢するように配置されている。つまり、第４レンズ保持枠１１は、第５レンズ保持枠１２に反力をとるコイルバネ５６により前方に付勢されている。
【００４８】
このように、第４レンズ保持枠１１を前方に付勢することで、第１ガイド軸３２と第１ガイド受け孔３３（前ガイド受部５４および後ガイド受部５５）との当接状態および第４カムフォロア１７と第３カム溝２６との係合状態を安定したものとすることができる。
【００４９】
（捻じりバネ５７）
第４レンズ保持枠１１には捻じりバネ５７が備えられている。捻じりバネ５７は、第４レンズ保持枠１１のフランジ部４９の前面に前方に向けて突設される支持軸５８に支持されている。捻じりバネ５７の両端部は、第２ガイド受け孔３５を通りフランジ部４９から前方に突出する第２ガイド軸３４と、フランジ部４９の前面に突設されるバネ受け部５９とに押力を作用させるように接触している。つまり、捻じりバネ５７は、第４レンズ保持枠１１に対して、第４レンズ保持枠１１を第１ガイド軸３２の周方向へ回転させる力が作用するように備えられる。これにより、第２ガイド受け孔３５の内周面のうち、第１ガイド軸３２の周方向に位置する当接面６０が第２ガイド軸３４に対して付勢された状態で当接させられる。当接面６０は、第１ガイド軸３２の周方向に直交する面であり平面を呈している。当接面６０が、第２ガイド軸３４に対して付勢された状態で当接させられることで、第４レンズ保持枠１１の第１ガイド軸３２の周方向への回転が規制される。なお、上述のように第４レンズ保持枠１１の第１ガイド軸３２の周方向への回転が第２ガイド軸３４により規制された状態で、第４レンズ群５の光軸が光軸Ｘと一致するように、第２ガイド受け孔３５の形成位置・大きさ、第２ガイド軸３４の太さ等は設定される。
【００５０】
（本実施の形態の主な効果）
本実施の形態のレンズ鏡筒１は、第２レンズ保持枠９から第５レンズ保持枠１２のうち、隣接する第４レンズ保持枠１１と第５レンズ保持枠１２とについて、一方のレンズ保持枠である第５レンズ保持枠１２に第１ガイド軸３２および第２ガイド軸３４が備えられている。第１ガイド軸３２および第２ガイド軸３４は、それぞれ光軸Ｘに平行である。第１ガイド軸３２および第２ガイド軸３４は、光軸Ｘを中心に１８０度の間隔で配置されている。すなわち、光軸Ｘと第１ガイド軸３２および第２ガイド軸３４の軸とが同一平面上に配置される。第１ガイド軸３２は第１ガイド受け孔３３に通され、第２ガイド軸３４は第２ガイド受け孔３５に通される。このように、第４レンズ保持枠１１は、光軸Ｘを挟んで配置される２本のガイド軸である第１ガイド軸３２および第２ガイド軸３４に支持されているため、光軸Ｘの周方向への回転が規制される。
【００５１】
第１ガイド軸３２および第２ガイド軸３４は、光軸Ｘを中心に１８０度の間隔で配置することが、第４レンズ保持枠１１を第１ガイド軸３２および第２ガイド軸３４に安定してガイドさせる点で好ましい。しかしながら、第１ガイド軸３２および第２ガイド軸３４は、必ずしも１８０度の間隔で配置する必要はなく、光軸Ｘの周方向で離間して配置されていれば第４レンズ保持枠１１の光軸Ｘの周方向への回動を規制することができる。
【００５２】
第４レンズ保持枠１１と第５レンズ保持枠１２のうち他方のレンズ保持枠としての第４レンズ保持枠１１には第１ガイド受け孔３３が設けられている。第１ガイド受け孔３３には第１ガイド軸３２が挿通され、第１ガイド受け孔３３は第１ガイド軸３２によるガイドを受ける。第１ガイド受け孔３３は、光軸Ｘ方向に離れて配置される前ガイド受部５４と後ガイド受部５５の２箇所で第１ガイド軸３２に当接する。つまり、第４レンズ保持枠１１は、光軸Ｘ方向に沿って前後に配置される前ガイド受部５４と後ガイド受部５５とにより、前後２箇所で第１ガイド軸３２に支持されるため、前後方向への倒れが抑えられる。このように、第１ガイド軸３２と第１ガイド受け孔３３とにより第４レンズ保持枠１１の前後への倒れを規制する構成とした場合には、カム溝とカムフォロアによる倒れの規制に比べて、複数のカム溝同士の形成位置の誤差等の影響を受け難くなり、第４レンズ保持枠１１の倒れを効果的に抑制できる。これにより、レンズ性能の低下を抑えることができる。
【００５３】
前ガイド受部５４と後ガイド受部５５の前後方向の間隔は、少なくとも第４レンズ群５の前後方向の厚さ以上離れていることが好ましい。しかしながら、該間隔が広くなるとレンズ鏡筒１の大型化（特に前後方向への大型化）を招きやすい。したがって、第４レンズ保持枠１１の前後方向の厚さを超えない範囲で、できるだけ該間隔を広くすることにより、レンズ鏡筒１の大型化を抑えつつ、第４レンズ保持枠１１の倒れの発生を抑え易くなる。
【００５４】
第４レンズ保持枠１１は、第１付勢手段としてのコイルバネ５６により、前方、すなわち、第５レンズ保持枠１２から離間させる方向に付勢されている。このように第４レンズ保持枠１１を前方に付勢することで、第１ガイド軸３２と第１ガイド受け孔３３との当接状態および第４カムフォロア１７と第３カム溝２６との係合状態を安定したものとすることができレンズ性能の低下を抑えることができる。なお、コイルバネ５６は、第４レンズ保持枠１１を第５レンズ保持枠１２に向かって引く付勢力を作用させるように備えても良い。
【００５５】
また、コイルバネ５６に換えて捻じりバネや板バネ等を使用することができる。しかしながら、コイルバネ５６を用いることで、小さなスペースに第１付勢手段を配置することができる。
【００５６】
第２付勢手段としての捻じりバネ５７は、第２ガイド受け孔３５を通りフランジ部４９から前方に突出する第２ガイド軸３４と、フランジ部４９の前面に突設されるバネ受け部５９との間に配置され、第４レンズ保持枠１１に対して第１ガイド軸３２の周方向へ回転させられる付勢力を作用させている。これにより、第２ガイド受け孔３５の内周面のうち、第１ガイド軸３２の周方向に位置する当接面６０が第２ガイド軸３４に対して付勢された状態で当接する。これにより、第４レンズ保持枠１１の第１ガイド軸３２の周方向への回動が防止され、第４レンズ保持枠１１が前後方向に移動する際のレンズ性能の低下を抑えることができる。
【００５７】
上述の実施の形態において、捻じりバネ５７の一端は、第２ガイド受け孔３５を貫通しフランジ部４９から前方に突出する第２ガイド軸３４に係合し、他端は、フランジ部４９の前面に突設されるバネ受け部５９に係合している。これに対し、捻じりバネ５７の一端側の係合部を第５レンズ保持枠１２側に設ける構成とすることもできる。しかしながら、捻じりバネ５７の一端側の係合部を第２ガイド軸３４に係合させる構成とすることで、該係合部を第５レンズ保持枠１２側に設ける構成とする場合に比べて、構成が簡略化されると共にレンズ鏡筒１の大型化を抑えることができる。
【００５８】
第２ガイド受け孔３５は、第２ガイド軸３４が遊挿される大きさに形成されている。すなわち、第２ガイド受け孔３５の開口の大きさは、ここに挿通される第２ガイド軸３４の全周に対して隙間を有する大きさに形成される。このため、仮に第２ガイド軸３４が湾曲あるいは、光軸に対して平行を欠いている場合であっても、第４レンズ保持枠の前後方向への移動が阻害される虞を小さくすることができる。
【００５９】
また、上述したように第４レンズ保持枠１１を捻じりバネ５７により第１ガイド軸３２の周方向に付勢することで、第２ガイド受け孔３５は、第２ガイド軸３４と第１ガイド軸３２の周方向においてのみ当接する。このように、第２ガイド受け孔３５を第２ガイド軸３４の一部に当接させることで、第４レンズ保持枠１１の光軸Ｘへの直進案内を主に第１ガイド軸３２に依存させることができる。これにより、第４レンズ保持枠１１の前後方向への移動の円滑性を向上させることができる。
【００６０】
たとえば、仮に、第２ガイド受け孔３５の内周が全周に亘って第２ガイド軸３４に当接させる構成とした場合には、第４レンズ保持枠１１の直進案内は、第１ガイド軸３２と第２ガイド軸３４の２本で行われることになる。そのため、第１ガイド軸３２と第２ガイド軸３４の平行度が低いと第４レンズ保持枠１１の移動が円滑に行われない虞がある。
【００６１】
これに対し、上述したように、第２ガイド受け孔３５を第２ガイド軸３４の一部にのみ当接させるようにすることで、第１ガイド軸３２と第２ガイド軸３４との平行度が第４レンズ保持枠１１の移動の円滑さに与える影響を少なくすることができる。また、第２ガイド軸３４と第２ガイド受け孔３５とが当接する部分の面積を少なくすることで、第２ガイド軸３４と第２ガイド受け孔３５との間の摺動摩擦を小さくすることができる。なお、該当接部分を除いた、第２ガイド受け孔３５と第２ガイド軸３４と間に形成される隙間の間隔は僅かでよい。該間隔は、第１ガイド軸３２と第２ガイド軸３４との平行度のずれ量よりも大きければ足りる。仮に、第１ガイド軸３２と第２ガイド軸３４とが完全に平行であったとしても、該隙間を設けることで、上述したように、第２ガイド軸３４と第２ガイド受け孔３５との間の摺動摩擦を小さくすることができる。
【００６２】
レンズ鏡筒１においては、第４カムフォロア１７は、直進案内溝に係合していない。つまり、第４レンズ保持枠１１の直進案内は、第１ガイド軸３２と第１ガイド受け孔３３とにより行われる。第４カムフォロア１７が直進案内溝（たとえば、第２直進案内溝２３）に係合しないことで、直進案内溝との摺動摩擦を無くすることができ、第４レンズ保持枠１１の前後方向の移動を円滑なものとすることができる。
【００６３】
レンズ鏡筒１においては、第４カムフォロア１７は、第１ガイド軸３２が挿通される第１ガイド受け孔３３が設けられる腕部４８Ａに配置されている。つまり、第４カムフォロア１７は、光軸Ｘの周方向において第１ガイド軸３２と同一方向に配置されている。つまり、第４カムフォロア１７を腕部４８Ｂや腕部４８Ｃに設ける場合に比べて、第１ガイド軸３２に近い距離で第４レンズ保持枠１１に対して前後方向への駆動力を作用させることができる。そのため、第４カムフォロア１７を腕部４８Ｂや腕部４８Ｃに備える場合に比べて、腕部４８Ａに備えることで、第４レンズ保持枠１１の前後方向への倒れの発生を抑えることができる。
【００６４】
なお、レンズ鏡筒１では、腕部４８Ｂおよび腕部４８Ｃを設けない構成とすることもできる。しかしながら、腕部４８Ａ，４８Ｂ，４８Ｃを光軸Ｘの周りに略同一の形状で互いに等間隔（１２０度間隔）に設けることで、第４レンズ保持枠１１を成形加工にて製造する際に発生するヒケによる偏った変形を抑えることができる。このように偏った変形を抑えることで、第４レンズ保持枠１１に保持される第４レンズ群５の倒れを抑えることがきで、レンズ性能の向上を図ることができる。
【００６５】
なお、第５レンズ保持枠１２の円筒部３９の前端には内側に突出する突起部６１が形成されている。この突起部６１は、第５レンズ保持枠１２に保持された第４レンズ保持枠１１のフランジ部４９の前面に係合する係合部として機能する。突起部６１は、コイルバネ５６により前方に付勢される第４レンズ保持枠１１が第１ガイド軸３２および第２ガイド軸３４から外れて第５レンズ保持枠１２から脱落することを防止することができる。つまり、突起部６１を設けることで、レンズ鏡筒１の組み立てを行う際に組み立ての作業の効率化を図ることができる。
【００６６】
以上に説明した第４レンズ保持枠１１および第５レンズ保持枠１２の構成は、他の隣接するレンズ同士についても採用することができ、少なくとも２つの隣接するレンズ保持枠について採用することで、レンズ保持枠を移動させる際のレンズの倒れやガタツキを抑えることができ、レンズ鏡筒１のレンズ性能の向上を図ることができる。特に、それぞれ移動制御される隣接するレンズ同士の間で、互いの位置や倒れの程度に高い精度を要求されるレンズ鏡筒について、上述した第４レンズ保持枠１１および第５レンズ保持枠１２の構成を採用することで、レンズ鏡筒のレンズ性能の向上を図ることができる。
【符号の説明】
【００６７】
Ｘ  …  光軸
１  …  レンズ鏡筒
８  …  第１レンズ保持枠
９  …  第２レンズ保持枠
１０  …  第３レンズ保持枠
１１  …  第４レンズ保持枠（他方のレンズ保持枠）
１２  …  第５レンズ保持枠（一方のレンズ保持枠）
１３  …  第６レンズ保持枠
１４  …  第２カムフォロア
１５  …  第３カムフォロア
１６  …  第５カムフォロア
１７  …  第４カムフォロア
１９  …  固定筒（直進ガイド筒）
２０  …  第１カム筒
２１  …  第２カム筒
２２  …  第１直進案内溝
２３  …  第２直進案内溝
２４  …  第１カム溝
２５  …  第２カム溝
２６  …  第３カム溝
２７  …  第４カム溝
２８  …  第３直進案内溝
２９  …  第５カム溝
３２  …  第１ガイド軸
３３  …  第１ガイド受け孔
３４  …  第２ガイド軸
３５  …  第２ガイド受け孔
５６  …  コイルバネ（第１付勢手段）
５７  …  捻じりバネ（第２付勢手段）
６１  …  突起部（係合部）
【図１】
2014089266.tif 000003
【図２】
2014089266.tif 000004
【図３】
2014089266.tif 000005
【図４】
2014089266.tif 000006
【図５】
2014089266.tif 000007
【図６】
2014089266.tif 000008